Podtech/llm-jp-corpus-v4-ja_patent huggingface dataset:
【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】  天然ＶＥＧＦと比較してＫＤＲレセプターに対する選択的結合親和性を有するＶＥＧＦ変異体ポリペプチドであって、天然ＶＥＧＦのアミノ酸配列の位置１７又は２５、又は位置１７から２５の間に１又は複数のアミノ酸置換を含むＶＥＧＦ変異体ポリペプチド。
【請求項２】  天然ＶＥＧＦ配列の位置１８、２１、２２又は２５のアミノ酸残基のうち１又は複数が置換している、請求項１に記載のＶＥＧＦ変異体。
【請求項３】  少なくとも一つのアミノ酸置換が次のアミノ酸置換：Ｆ１７Ｉ、Ｍ１８Ｅ、Ｙ２１Ｌ、Ｙ２１Ｆ、Ｑ２２Ｒ、Ｑ２２Ｋ、Ｙ２５Ｓ、Ｙ２５Ｉ、を含む、請求項２に記載のＶＥＧＦ変異体。
【請求項４】  アミノ酸置換が次の（ａ）乃至（ｃ）のアミノ酸置換を含む、請求項２に記載のＶＥＧＦ変異体；
（ａ）Ｍ１８Ｅ、Ｙ２１Ｌ、Ｑ２２Ｒ及びＹ２５Ｓ
（ｂ）Ｆ１７Ｉ、Ｍ１８Ｅ、Ｙ２１Ｆ、Ｑ２２Ｋ及びＹ２５Ｓ
（ｃ）Ｆ１７Ｉ、Ｍ１８Ｅ、Ｙ２１Ｆ、Ｑ２２Ｅ及びＹ２５Ｉ。
【請求項５】  天然ＶＥＧＦ配列の位置６３又は６６、又は位置６３から６６の間に１以上の置換をさらに含む、請求項１乃至４の何れか一項に記載のＶＥＧＦ変異体。
【請求項６】  少なくとも一つのアミノ酸置換が次のアミノ酸置換：Ｄ６３Ｓ、Ｇ６５Ｍ、Ｌ６６Ｒ、を含む、請求項５に記載のＶＥＧＦ変異体。
【請求項７】  アミノ酸置換がＤ６３Ｓ、Ｇ６５Ｍ及びＬ６６Ｒを含む、請求項５に記載のＶＥＧＦ変異体。
【請求項８】  以下の（ａ）乃至（ｔ）の何れか一つの置換を含む、請求項５に記載のＶＥＧＦ変異体；
（ａ）Ｍ１８Ｅ、Ｄ６３Ｓ、Ｇ６５Ｍ及びＬ６６Ｒ；
（ｂ）Ｙ２１Ｌ、Ｄ６３Ｓ、Ｇ６５Ｍ及びＬ６６Ｒ；
（ｃ）Ｑ２２Ｒ、Ｄ６３Ｓ、Ｇ６５Ｍ及びＬ６６Ｒ；
（ｄ）Ｙ２５Ｓ、Ｄ６３Ｓ、Ｇ６５Ｍ及びＬ６６Ｒ；
（ｅ）Ｍ１８Ｅ、Ｙ２１Ｌ、Ｄ６３Ｓ、Ｇ６５Ｍ及びＬ６６Ｒ；
（ｆ）Ｍ１８Ｅ、Ｑ２２Ｒ、Ｄ６３Ｓ、Ｇ６５Ｍ及びＬ６６Ｒ；
（ｇ）Ｍ１８Ｅ、Ｙ２５Ｓ、Ｄ６３Ｓ、Ｇ６５Ｍ及びＬ６６Ｒ；
（ｈ）Ｙ２１Ｌ、Ｑ２２Ｒ、Ｄ６３Ｓ、Ｇ６５Ｍ及びＬ６６Ｒ；
（ｉ）Ｙ２１Ｌ、Ｙ２５Ｓ、Ｄ６３Ｓ、Ｇ６５Ｍ及びＬ６６Ｒ；
（ｊ）Ｑ２２Ｒ、Ｙ２５Ｓ、Ｄ６３Ｓ、Ｇ６５Ｍ及びＬ６６Ｒ；
（ｋ）Ｍ１８Ｅ、Ｙ２１Ｌ、Ｑ２２Ｒ、Ｄ６３Ｓ、Ｇ６５Ｍ及びＬ６６Ｒ；
（ｌ）Ｍ１８Ｅ、Ｑ２２Ｒ、Ｙ２５Ｓ、Ｄ６３Ｓ、Ｇ６５Ｍ及びＬ６６Ｒ；
（ｍ）Ｙ２１Ｌ、Ｑ２２Ｒ、Ｙ２５Ｓ、Ｄ６３Ｓ、Ｇ６５Ｍ及びＬ６６Ｒ；
（ｎ）Ｍ１８Ｅ、Ｙ２１Ｌ、Ｑ２２Ｒ、Ｙ２５Ｓ及びＤ６３Ｓ；
（ｏ）Ｍ１８Ｅ、Ｙ２１Ｌ、Ｑ２２Ｒ、Ｙ２５Ｓ及びＧ６５Ｍ；
（ｐ）Ｍ１８Ｅ、Ｙ２１Ｌ、Ｑ２２Ｒ、Ｙ２５Ｓ及びＬ６６Ｒ；
（ｑ）Ｍ１８Ｅ、Ｙ２１Ｌ、Ｑ２２Ｒ、Ｙ２５Ｓ、Ｄ６３Ｓ及びＧ６５Ｍ；
（ｒ）Ｍ１８Ｅ、Ｙ２１Ｌ、Ｑ２２Ｒ、Ｙ２５Ｓ、Ｄ６３Ｓ及びＬ６６Ｒ；
（ｓ）Ｍ１８Ｅ、Ｙ２１Ｌ、Ｑ２２Ｒ、Ｙ２５Ｓ、Ｇ６５Ｍ及びＬ６６Ｒ；
（ｔ）Ｍ１８Ｅ、Ｙ２１Ｌ、Ｑ２２Ｒ、Ｙ２５Ｓ、Ｄ６３Ｓ、Ｇ６５Ｍ及びＬ６６Ｒ。
【請求項９】  単離されたＶＥＧＦ変異体ポリペプチドであって、天然ＶＥＧＦ配列の位置Ｄ６３、Ｇ６５及びＬ６６のアミノ酸残基に置換を含み、前記変異体はＦＬＴ−１レセプターに対する結合親和性が天然ＶＥＧＦに比べて２０００分の１以下となっている、ＶＥＧＦ変異体ポリペプチド。
【請求項１０】  請求項１乃至９の何れか一項に記載のＶＥＧＦ変異体をコードするＤＮＡ配列を含んでなる単離された核酸。
【請求項１１】  請求項１０に記載の核酸を含んでなるベクター。
【請求項１２】  請求項１１に記載のベクターを含んでなる宿主細胞。
【請求項１３】  請求項１乃至９の何れか一項に記載のＶＥＧＦ変異体と担体を含む組成物。
【請求項１４】  前記担体が製薬的に許容可能な担体である、請求項１３に記載の組成物。
【請求項１５】  請求項１３又は１４の組成物を含む容器とインビトロ又はインビボで前記組成物を使用する為の指示書を提供する前記容器上のラベルを含んでなる、製造品。
【請求項１６】  請求項１乃至９の何れか一項に記載のＶＥＧＦ変異体を有する細胞又は組織に接触し、前記細胞又は組織中に又はその上に存在しうるＫＤＲレセプターに対する前記ＶＥＧＦ変異体の結合を測定することを含んでなるＫＤＲをレセプターを検知するアッセイ。
【請求項１７】  請求項１乃至９のいずれか一項に記載のＶＥＧＦ変異体を含む、哺乳動物における脈管形成又は血管新生を促進するための薬剤。
【請求項１８】  請求項１乃至９のいずれか一項に記載のＶＥＧＦ変異体を含む、哺乳動物における血管網の損傷を治療するための薬剤。
【請求項１９】  前記血管網の損傷が、外科的切開、創傷又は血管上皮に生じた表面潰瘍である、請求項１８に記載の薬剤。
【請求項２０】  前記外科的切開が心臓に対するものである、請求項１９に記載の薬剤。
【請求項２１】  前記創傷が裂傷、切開又は血管の穿通である、請求項１９に記載の薬剤。
【請求項２２】  前記表面潰瘍が糖尿病性潰瘍、血友病性潰瘍又は静脈瘤性潰瘍である、請求項１９に記載の薬剤。
【請求項２３】  前記哺乳動物がヒトである、請求項１８乃至２２の何れか一項に記載の薬剤。
【請求項２４】  ＫＤＲレセプターを発現している細胞と請求項１乃至９の何れか一項に記載のＶＥＧＦ変異体を接触させることを含んでなる、インビトロにおいてＫＤＲレセプターのリン酸化、ＭＡＰキナーゼの活性化、ＰＬＣ−ガンマの活性化又はＰＩ３’−キナーゼの活性化を刺激する方法。
【請求項２５】  ＫＤＲレセプターを発現している内皮細胞と請求項１乃至９の何れか一項に記載のＶＥＧＦ変異体を接触させることを含んでなる、インビトロにおいて内皮細胞の増殖又は血管新生を刺激する方法。
【請求項２６】  ＫＤＲレセプターを発現している内皮細胞と請求項１乃至９の何れか一項に記載のＶＥＧＦ変異体を接触させることを含んでなる、インビトロにおいて内皮細胞の遊走を促進する方法。
【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  少なくとも一つの組み換え蛋白質を細胞内において生産するための方法であって、当該方法はECACC 寄託番号96022940として寄託されたPER.C6細胞又はその誘導体（derivative）である細胞を提供する過程を含み、前記方法は前記細胞に組み換え蛋白質をコードする遺伝子を与え、前記細胞を適切な培地中で培養する過程及び前記細胞及び／又は前記培地から組み換え蛋白質を回収する過程を含み、ここで前記組み換え蛋白質が、前記細胞のゲノム中に組み込まれた核酸によってコードされた蛋白質である、少なくとも一つの組み換え蛋白質を細胞内において生産するための方法。
【請求項２】  前記培養の間に前記細胞は懸濁液の状態である、請求項１記載の方法。
【請求項３】  前記適切な培地は動物またはヒト由来の血清を含まない培地である、請求項１又は請求項２記載の方法。
【請求項４】  前記組み換え蛋白質はヒト蛋白質である、請求項１−３のいずれか一つの請求項記載の方法。
【請求項５】  前記組み換え蛋白質がイムノグロブリンの少なくとも一つの可変領域を含む、請求項１−４のいずれか一つの請求項記載の方法。
【請求項６】  前記組み換え蛋白質がイムノグロブリンである、請求項５記載の方法。
【請求項７】  前記組み換え蛋白質がモノクローナル抗体である、請求項６記載の方法。
【請求項８】  前記組み換え蛋白質がエリスロポエチン、又は機能を有するその誘導体、相同物、又は断片である、請求項１−４のいずれか一つの請求項記載の方法。
【請求項９】  前記組み換え蛋白質がアデノウイルス蛋白質以外のウイルス蛋白質である、請求項１−４のいずれか一つの請求項記載の方法。
【請求項１０】  前記ウイルス蛋白質が、インフルエンザウイルスニューラミダーゼ及び／又はヘマグルチニン；エンテロウイルス蛋白質；ヘルペスウイルス蛋白質；オルソミクソウイルス蛋白質；レトロウイルス、パルボウイルスまたはポパボウイルス蛋白質；ロータウイルス又はコロナウイルス蛋白質；風疹ウイルス蛋白質又はイースタン、ウエスタン、又はベネズエリアン（venezuelean）ウマ脳脊髄炎ウイルス蛋白質などのトガウイルス蛋白質；Ａ型肝炎ウイルス蛋白質又はＢ型肝炎ウイルス蛋白質などの肝炎を引き起こすウイルスの蛋白質；ブタコレラウイルス蛋白質の様なペスティウイルス蛋白質、又は狂犬病ウイルス蛋白質の様なラブドウイルス蛋白質からなる群から選択された、請求項９記載の方法。
【請求項１１】  前記組み換え蛋白質が、CMVプロモーターの制御下にある核酸によってコードされた蛋白質である、請求項１−１０のいずれか一つの請求項記載の方法。
【請求項１２】  前記細胞に、アルファ２，３−シアリルトランスフェラーゼ、アルファ２，６−シアリルトランスフェラーゼまたはベータ１，４−ガラクトシルトランスフェラーゼをコードするcDNAが更に組み込まれている、請求項１−１１のいずれか一つの請求項記載の方法。
【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】
ａ）少なくとも１種の有機もしくは無機白色、黒色もしくは有彩顔料、有機もしくは無機充填剤又はそれらの混合物を含む少なくとも１種の固体成分、ならびに
ｂ）少なくとも１種の結合剤成分
を含んでなり、水中における系の成分が、成分及び水の体積の合計に基づいて１５０Ｊ／ｃｍ3未満の比エネルギー投入量で、＜６０μｍ（ＩＳＯ  １５２４：１９８３に従って決定）の粒度を有する水性分散液を生ずることを特徴とするペイント及びコーティング材料系。
【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】哺乳類の被験体への投与のための酸化鉄錯体を提供する方法であって、該方法は、カルボキシアルキル化された還元多糖の酸化鉄錯体を製造し、及び該錯体をオートクレーブ処理で滅菌することを含む、方法。
【請求項２】前記還元多糖が、還元されたグルコースのポリマーである、請求項１に記載の方法。
【請求項３】前記還元されたグルコースのポリマーが、還元デキストランである、請求項２に記載の方法。
【請求項４】前記還元多糖が、多糖を、硼水素化塩から成る群から選択される試薬及び水素化触媒の存在下での水素と反応させることにより製造される、請求項１に記載の方法。
【請求項５】前記錯体の製造が、カルボキシメチル化により還元多糖をカルボキシアルキル化する工程を含む、請求項１に記載の方法。
【請求項６】前記還元多糖が還元デキストランである、請求項５に記載の方法。
【請求項７】哺乳類の被験体への投与が、人への投与である、請求項６に記載の方法。
【請求項８】ナトリウム塩として単離された、カルボキシアルキル化された還元多糖が、約１６５０ｃｍ−１乃至約１８００ｃｍ−１の領域に赤外吸収ピークを含まない、請求項１に記載の方法。
【請求項９】前記カルボキシアルキル化された還元多糖の製造が、約５０℃より低い温度で達成される、請求項１に記載の方法。
【請求項１０】前記カルボキシアルキル化された還元多糖の製造が、約４０℃より低い温度で達成される、請求項９に記載の方法。
【請求項１１】前記酸化鉄が超常磁性である、請求項１に記載の方法。
【請求項１２】請求項１に記載の方法により製造された還元多糖の酸化鉄錯体であって、該錯体が少なくとも約１００℃の温度で安定である、錯体。
【請求項１３】製造された錯体が約１２１℃の温度で安定である、カルボキシアルキル化された還元多糖の酸化鉄錯体。
【請求項１４】請求項１３に記載の還元多糖の酸化鉄錯体であって、該錯体が少なくとも約１２１℃の温度で、該錯体を滅菌するのに有効な時間安定である、錯体。
【請求項１５】請求項１４に記載の還元多糖の酸化鉄錯体であって、前記カルボキシアルキル化された還元多糖の酸化鉄錯体が、カルボキシメチル還元多糖の酸化鉄錯体、カルボキシエチル還元多糖の酸化鉄錯体、及びカルボキシプロピル還元多糖の酸化鉄錯体から成る群から選択される、錯体。
【請求項１６】請求項１５に記載の還元多糖の酸化鉄錯体であって、前記還元多糖が還元デキストランである、錯体。
【請求項１７】請求項１５に記載の還元多糖の酸化鉄錯体であって、前記カルボキシアルキル化された還元デキストランがカルボキシメチル還元デキストランである、錯体。
【請求項１８】請求項１６に記載の還元多糖の酸化鉄錯体であって、前記カルボキシアルキル化された還元デキストランが、多糖１ｇ当たり少なくとも約７５０マイクロモルのカルボキシル基で含まれる、錯体。
【請求項１９】請求項１８に記載の還元多糖の酸化鉄錯体であって、前記カルボキシアルキル化された還元デキストランが、多糖１ｇ当たり少なくとも約９００マイクロモルのカルボキシル基で含まれる、錯体。
【請求項２０】請求項１９に記載の還元多糖の酸化鉄錯体であって、前記カルボキシアルキル化された還元デキストランが、多糖１ｇ当たり少なくとも約１１００マイクロモルのカルボキシル基で含まれる、錯体。
【請求項２１】請求項２０に記載の還元多糖の酸化鉄錯体であって、前記カルボキシアルキル化された還元デキストランが、多糖１ｇ当たり約１５００マイクロモルより少ないカルボキシル基で含まれ、該錯体が、実質的な粒子を形成しない、錯体。
【請求項２２】被験体の生体内ＭＲＩ用の造影剤を提供する請求項１に記載の方法であって、カルボキシメチル化された還元された超微粒な超常磁性の酸化鉄錯体である組成物を配合する工程、及び最後に該組成物をオートクレーブ処理によって滅菌する工程を含む、方法。
【請求項２３】鉄の不足した被験体を治療するための造血剤を提供する方法であって、カルボキシメチル化された還元された超微粒な酸化鉄錯体である組成物を配合する工程、及び最後に該組成物をオートクレーブ処理によって滅菌する工程を含む、方法。
【請求項２４】オートクレーブされた組成物を単位投与量で提供する更なる工程を有する、請求項２２又は２３に記載の方法。
【請求項２５】約１２１℃の温度で安定な、カルボキシアルキル化された還元多糖の酸化鉄錯体であって、該錯体のナトリウム塩は、約１６５０ｃｍ−１乃至約１８００ｃｍ−１の領域に赤外吸収ピークを含まない、錯体。
【請求項２６】前記多糖が、カルボキシメチル化される、請求項２５に記載のカルボキシアルキル化された還元多糖の酸化鉄錯体。
【手続補正２】
【補正対象書類名】明細書
【補正対象項目名】００２８
【補正方法】変更
【補正の内容】
【００２８】
図式１：
【化１】
2002541218.tif 000001
【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  テトラヒドロクルクミノイド（ＴＨＣ）の混合物を含む、ランダムな細胞内蛋白質の架橋結合の制御を必要とする患者における、ランダムな細胞内蛋白質の架橋結合制御用及び細胞電位の最適化用組成物。
【請求項２】  ランダムな細胞内蛋白質の架橋結合が、蛋白質のポストトランスレーショナルモディフィケーションである、請求項１記載の組成物。
【請求項３】  ランダムな細胞内蛋白質の架橋結合が、ＴＨＣにより改変されて、物理的、化学的及び/又は生理的エレメントに対する安全且つ有効な粘膜、漿膜又は皮膚の保護を提供する、請求項１記載の組成物。
【請求項４】  ランダムな細胞内蛋白質の架橋結合が、ＴＨＣにより改変されて、ＵＶＡ及び/又はＵＶＢに対する安全且つ有効な皮膚の保護を提供する、請求項１記載の組成物。
【請求項５】  ランダムな細胞内蛋白質の架橋結合が、ＴＨＣにより改変されて、チロシナーゼ阻害の結果起こる副作用を引き起こさずに、チロシナーゼを有効に阻害する、請求項１記載の組成物。
【請求項６】  ランダムな細胞内蛋白質の架橋結合が、ＴＨＣにより改変されて、細胞内ras蛋白質を制御する、請求項１記載の組成物。
【請求項７】  ランダムな細胞内蛋白質の架橋結合が、ＴＨＣにより改変されて、悪性腫瘍の存在による蛋白質の架橋結合を阻害する、請求項１記載の組成物。
【請求項８】  テトラヒドロクルクミノイドが、７０〜８０％のテトラヒドロクルクミン、１５〜２０％のテトラヒドロディメトキシクルクミンおよび２．５〜６．５％のテトラヒドロビスディメトキシクルクミンを含む、請求項１記載の組成物。
【請求項９】  ７０〜８０％のテトラヒドロクルクミン、１５〜２０％のテトラヒドロディメトキシクルクミンおよび２．５〜６．５％のテトラヒドロビスディメトキシクルクミンを含む、実質的に無色の組成物。
【請求項１０】  局所投与に適する形態である、請求項１記載の組成物。
【請求項１１】  経口投与に適する形態である、請求項１記載の組成物。
【請求項１２】  非経口的投与に適する形態である、請求項１記載の組成物。
【請求項１３】  局所投与に適する形態である、請求項９記載の組成物。
【請求項１４】  経口投与に適する形態である、請求項９記載の組成物。
【請求項１５】  非経口的投与に適する形態である、請求項９記載の組成物。
【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【特許請求の範囲】
【請求項１】  一般式Ｉ中、
【化１】
2002541259.tif 000001
Ｒ１はＮＲ５Ｒ６，ＯＲ５，ＳＲ５又はＲ７であり、
Ｒ５およびＲ６は独立してＨ，（１−８Ｃ）アルキル，（２−８Ｃ）アルケニル，（２−８Ｃ）アルキニル，（３−８Ｃ）シクロアルキル，（２−７Ｃ）ヘテロシクロアルキル，アルキル（１−８Ｃ）カルボニル，（６−１４Ｃ）アリールカルボニル，（６−１４Ｃ）アリール又は（４−１３Ｃ）ヘテロアリールから選択されるか、あるいはＲ５およびＲ６は共に（２−７Ｃ）ヘテロシクロアルキル環で結合され、
Ｒ７は（３−８Ｃ）シクロアルキル，（２−７Ｃ）ヘテロシクロアルキル，（６−１４Ｃ）アリール又は（４−１３Ｃ）ヘテロアリールであり、
Ｒ２は（１−８Ｃ）アルキル，（２−８Ｃ）アルケニル，（２−８Ｃ）アルキニル，又は（６−１４Ｃ）アリールあるいは（４−１３Ｃ）ヘテロアリールであり、共に（１−８Ｃ）アルキル，（１−８Ｃ）アルキルチオ，（１−８Ｃ）（ジ）アルキルアミノ，（１−８Ｃ）アルコキシ，（２−８Ｃ）アルケニル，又は（２−８Ｃ）アルキニルから選択された一つ又は一つ以上の置換基で任意に置換され、
Ｒ３は（１−８Ｃ）アルキル，（２−８Ｃ）アルケニル，（２−８Ｃ）アルキニル，（３−８Ｃ）シクロアルキル，（２−７Ｃ）ヘテロシクロアルキル，又は（６−１４Ｃ）アリールあるいは（４−１３Ｃ）ヘテロアリールであり、共に（１−８Ｃ）アルキル，（１−８Ｃ）（ジ）アルキルアミノ又は（１−８Ｃ）アルコキシから選択された一つ又は一つ以上の置換基で任意に置換され、
ＸはＳ，Ｏ又はＮ（Ｒ４）であり、
Ｒ４はＨ，（１−８Ｃ）アルキル，（１−８Ｃ）アルキルカルボニル，（６−１４Ｃ）アリールカルボニル又は（６−１４Ｃ）アリール（１−８Ｃ）アルキルであり、
ＹはＣＨ又はＮであり、
ＺはＮＨ２又はＯＨであり、
ＡはＳ，Ｎ（Ｈ），Ｎ（Ｒ９），Ｏ又は結合手であり、
Ｒ９はＲ２に対して記述したような前記同基から選択することができ、
ＢはＮ（Ｈ），Ｏ，又は結合手である、
治療に使用するための前記一般式Ｉによる二環式へテロ芳香族誘導体化合物、あるいは製薬的に許容可能な同塩。
【請求項２】  ＸはＳであり、および／又はＺはＮＨ２である治療に使用するための請求項１記載による誘導体化合物。
【請求項３】  ＸはＳであり、ＺはＮＨ２であり、およびＲ１は（６−１４Ｃ）アリールあるいは（４−１３Ｃ）ヘテロアリールである治療に使用するための請求項１又は２記載による誘導体化合物。
【請求項４】  ＢはＮ又はＯである治療に使用するための請求項１〜３記載による誘導体化合物。
【請求項５】  ＢはＮである治療に使用するための請求項１〜４記載による化合物。
【請求項６】  Ｒ３はイソプロピル又はｔｅｒｔ−ブチルである治療に使用するための請求項１〜５記載による化合物。
【請求項７】  Ｙ＝Ｎである治療に使用するための請求項１〜６記載による化合物。
【請求項８】  一般式ＩＩ中、
【化２】
2002541259.tif 000002
Ｒ１は（６−１４Ｃ）アリール又は（４−１３Ｃ）ヘテロアリールであり、
Ｒ２は（１−８Ｃ）アルキル，（２−８Ｃ）アルケニル，（２−８Ｃ）アルキニル，又は（６−１４Ｃ）アリールあるいは（４−１３Ｃ）ヘテロアリールであり、共に（１−８Ｃ）アルキル，（１−８Ｃ）アルキルチオ，（１−８Ｃ）アルコキシ，（２−８Ｃ）アルケニル，又は（２−８Ｃ）アルキニルから選択された一つ又は一つ以上の置換基で任意に置換され、
Ｒ３は（１−８Ｃ）アルキル，（２−８Ｃ）アルケニル，（２−８Ｃ）アルキニル，（３−８Ｃ）シクロアルキル，（２−７Ｃ）ヘテロシクロアルキル，又は（２−１４Ｃ）アリールあるいは（４−１３Ｃ）ヘテロアリールであり、共に（１−８Ｃ）アルキル，（１−８Ｃ）（ジ）アルキルアミノ又は（１−８Ｃ）アルコキシから選択された一つ又は一つ以上の置換基で任意に置換され、
ＢはＮ（Ｈ），Ｏ，又は結合手であり、および
Ｙ＝ＣＨ又はＮであり、
前記化合物はエチル５−アミノ−４−フェニル−２−エトキシカルボニルメチルチオ−チエノ［２，３−ｄ］ピリミジン−６−カルボキシラート，メチル５−アミノ−４−フェニル−２−メチルチオ−チエノ［２，３−ｄ］ピリミジン−６−カルボキシラート，エチル５−アミノ−４−フェニル−２−メチルチオ−チエノ［２，３−ｄ］ピリミジン−６−カルボキシラート，６−アセチル−５−アミノ−４−フェニル−２−（２−オキソプロピルチオ）−チエノ［２，３−ｄ］ピリミジン，５−アミノ−６−ベンゾイル−４−フェニル−２−フェニルカルボニルメチルチオ−チエノ［２，３−ｄ］ピリミジン又は５−アミノ−６−（４−クロロベンゾイル）−４−フェニル−２−［（４−クロロフェニル）カルボニルメチルチオ］−チエノ［２，３−ｄ］ピリミジンではないという条件付きで、
治療に使用するための前記一般式ＩＩによる二環式へテロ芳香族誘導体化合物、あるいは製薬的に許容可能な塩。
【請求項９】  ＢはＮ又はＯである請求項８記載による誘導体化合物。
【請求項１０】  ＢはＮである請求項８あるいは９記載による化合物。
【請求項１１】  Ｒ３はイソプロピル又はｔｅｒｔ−ブチルである請求項８〜１０記載による化合物。
【請求項１２】  Ｙ＝Ｎである請求項８〜１１記載による化合物。
【請求項１３】  Ｒ２＝（１−４Ｃ）アルキルである請求項８〜１２記載による化合物。
【請求項１４】  請求項１〜１３記載による二環式へテロ芳香族誘導体化合物または製薬的に許容可能な塩あるいは溶媒和化合物を製薬的に許容可能な補助剤と共に含む製薬的組成物。
【請求項１５】  生殖能の調整のための薬物の製造のための請求項１〜１３記載のいずれかによる二環式へテロ芳香族誘導体化合物又は製薬的に許容可能な塩あるいは溶媒和化合物の使用。
【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】  アンサマイシン抗生物質が結合して、高次構造上の成熟にｈｓｐ９０を必要とするタンパク質のサブセットのプロテアソームにおける分解をもたらす、ｈｓｐ９０のポケットに結合する第一および第二ｈｓｐ−結合部分を含有する化合物であって、該結合部分はリンカーにより相互に連結しており、第一および第二ｈｓｐ９０結合部分が各々、ｈｓｐ９０のポケットに結合して、高次構造上の成熟にｈｓｐ９０を必要とするタンパク質のサブセットのプロテアソームにおける分解をもたらす化合物内の機能を維持している、上記化合物。
【請求項２】  第一および第二ｈｓｐ−結合部分が各々アンサマイシン抗生物質である、請求項１に記載の化合物。
【請求項３】  ｈｓｐ−結合部分の少なくとも一つがゲルダナマイシンであり、リンカーはゲルダナマイシンの１７位の炭素と結合している、請求項１または２に記載の化合物。
【請求項４】  リンカーが炭素原子４〜７個の長さを有する、請求項１〜３のいずれか一項に記載の化合物。
【請求項５】  リンカーが置換炭素鎖である、請求項１〜４のいずれか一項に記載の化合物。
【請求項６】  置換炭素鎖がＮ−メチルアミノ基のような２級又は３級のアミンを組み込んでいる、請求項５に記載の化合物。
【請求項７】  ＨＥＲ族チロシンキナーゼを発現する細胞の破壊のために用いるための請求項１〜６のいずれか一項に記載の化合物を含んでなる薬剤。
【請求項８】  請求項１〜６のいずれか一項に記載の化合物を含んでなる、癌を治療するための薬剤。
【請求項９】  癌がＨＥＲ族キナーゼを過剰発現する癌である、請求項８に記載の薬剤。
【請求項１０】  癌が乳癌、卵巣癌、膵臓癌または胃癌である、請求項８または９に記載の薬剤。
【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】  エナンチオマーに富む式１
【化１】
2002541261.tif 000001
(式中、Ａｒは、ハロアルキル、アルキルおよびハロゲン化物から選択される１またはそれ以上の基で置換されていてよいフェニルである)
の化合物。
【請求項２】  ８-アンチ{４-[３-(トリフルオロメチル)フェノキシ]-３Ｒ-ジメチル-ｔｅｒｔ-ブチルシリルオキシ-１Ｅ-ブテニル｝-６-エンド-ジメチル-ｔｅｒｔ-ブチルシリルオキシ-２-オキサビシクロ[３.２.１］オクタン-３-オンである請求項１記載の化合物。
【請求項３】  結晶形態で単離できる請求項１または請求項２記載の化合物。
【請求項４】  以下のステップ：(−)-２-エキソ-ブロモ-３-エンド-ｔｅｒｔ-ブチルジメチルシリルオキシビシクロ[３.２.０]ヘプタン-６-オンと塩基との、３-エンド-ｔｅｒｔ-ブチルジメチルシリルオキシトリシクロ[３.２.０.０２,７]ヘプタノンを生じる反応；後者の化合物の、(Ｒ)-４-(アリールオキシ)-３-(ｔｅｒｔ-ブチルジメチルシリルオキシ)-１-ヨード-１Ｅ-ブテンまたは対応するアルキンから誘導される銅塩試薬との反応；および、生じた二環式ケトンのバイヤー-ビリガー酸化、ならびに加水分解による位置異性体ラクトンの除去を含む請求項１〜３のいずれかに記載の化合物の調製法。
【請求項５】  アリールが３-(トリフルオロメチル)フェニルである、請求項２記載の化合物の調製のための、請求項４記載の方法。
【請求項６】  プロスタグランジンまたはそのエステル誘導体の調製のための、請求項１〜３のいずれかの化合物の使用。
【請求項７】  プロスタグランジンが(+)-１６-[３-(トリフルオロメチル)フェノキシ]-１７,１８,１９,２０-テトラノールＰＧＦ２αイソプロピルエステルである請求項６記載の使用。
【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  ゲル材料を膨張させる方法であって、
(a)硬化性ゲル前駆体物質および複数の熱膨張性微小球体を含んで成る混合物を提供する工程であって、そのゲル前駆体物質は、硬化条件下に付されると、約１．０３４ＭＰａ(１５０ｐｓｉ)以下の引張強度を有するゲル材料に硬化可能であり、微小球体は、予め決められる硬化条件では膨張が起こらないが、膨張温度まで加熱されると膨張することができる工程、
(b) 混合物を硬化条件下に付して、ゲル前駆体物質を、微小球体を含有し、約１．０３４ＭＰａ（１５０ｐｓｉ）以下の引張強度を有するゲル材料に硬化させる工程、および
(c) 膨張温度まで微小球体を含むゲル材料を加熱して、微小球体を膨張させ、それにより、ゲル材料を膨張させる工程
を含む方法。
【請求項２】  予め決められる硬化条件は、膨張温度より低い硬化温度まで加熱することである請求項１に記載の方法。
【請求項３】  硬化条件は、紫外線光の照射である請求項１に記載の方法。
【請求項４】  硬化条件は、触媒作用下、室温硬化性ゲル前駆体物質を硬化させることである請求項１に記載の方法。
【請求項５】  ゲル材料は、架橋シリコーンゲルを含んで成る請求項１に記載の方法。
【請求項６】  微小球体は、約１〜約４０重量％の量で存在する請求項１に記載の方法。
【請求項７】  微小球体は、約９〜約２０重量％の量で存在する請求項１に記載の方法。
【請求項８】  約８０〜約１５０℃の温度まで加熱することによりゲル材料を膨張させる請求項１に記載の方法。
【請求項９】  硬化性ゲル前駆体物質と複数の熱膨張性微小球体を含んで成る混合物は、約０．５〜約１．０重量％の発煙シリカを更に含んで成る請求項１に記載の方法。
【手続補正２】
【補正対象書類名】明細書
【補正対象項目名】０００５
【補正方法】変更
【補正の内容】
【０００５】
発明の簡単な概要
本発明はゲル材料の膨張方法を提供するものであって、その方法は、以下の工程を含む：
(a)硬化性ゲル前駆体物質および複数の熱膨張性微小球体（ｍｉｃｒｏｓｐｈｅｒｅ）を含んで成る混合物を提供する工程であって、そのゲル前駆体物質は、硬化条件下に付されると、約１．０３４ＭＰａ(１５０ｐｓｉ)以下の引張強度を有するゲル材料に硬化可能であり、微小球体は、予め決められる硬化条件では膨張が起こらないが、ある膨張温度まで加熱されると膨張することができる工程、
(b) 混合物を硬化条件下に付して、ゲル前駆体物質を、微小球体を含有し、約１．０３４ＭＰａ（１５０ｐｓｉ）以下の引張強度を有するゲル材料に硬化させる工程、および
(c) 膨張温度まで微小球体を含むゲル材料を加熱して、微小球体を膨張させ、それにより、ゲル材料を膨張させる工程。
【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  式：
【化１】
2002541235.tif 000001
（式中、
Ａｒは、フェニル又は２−チエニルであり；
Ａｒ１は、１−ナフチル、２−メトキシフェニル、２−チオメトキシフェニル、又は２−メチルフェニルであり；
Ｇは、水素又はメチルである）
の３−アリールオキシ−３−アリールプロピルアミン及びその医薬的に許容し得る付加塩の製造方法であって、以下の工程：
（ａ）式：
【化２】
2002541235.tif 000002
（式中Ａｒ及びＧは上に定義したとおりである）の3-ヒドロキシ−3-アリールプロピルアミンを、式：
Ａｒ１−Ｘ
（式中Ａｒ１−Ｘは２−フルオロトルエン、２−クロロトルエン、１−フルオロナフタレン、１−クロロナフタレン、２−フルオロアニソール、２−クロロアニソール、２−フルオロチオアニソール、又は２−クロロチオアニソールである）のハロ芳香属と、1，3−ジメチル−２−イミダゾリジノン又はN-メチルピロリジノン中で０℃〜１４０℃の温度で反応させて、3-アリールオキシ−3-アリールプロピルアミンを得；
（ｂ）Ｇがメチルである３−アリールオキシ−３−アリールプロピルアミンはＮ−脱メチルしてＧが水素である３−アリールオキシ−３−アリールプロピルアミンを得；
（ｃ）３−アリールオキシ−３−アリールプロピルアミンを場合により分割して、３−アリールオキシ−３−アリールプロピルアミンの特定の異性体を得；そして
（ｄ）場合により、医薬的に許容し得る酸を用いて酸付加塩を形成させる；
を含む方法。
【請求項２】  1，3−ジメチル−２−イミダゾリジノンを用いる請求項１に記載の方法。
【請求項３】  ３−ヒドロキシ−３−アリールプロピルアミンが（Ｓ）−Ｎ，Ｎ−ジメチル−３−（２−チエニル）−３−ヒドロキシプロピルアミンであり、ハロ芳香属が１−フルオロナフタレンである請求項２に記載の方法。
【請求項４】  トモキセチン及びその医薬的に許容し得る付加塩の製造方法であって、その方法は以下の工程：
（ａ）1，3−ジメチル−２−イミダゾリジノン中でＮ−メチル−３−フェニル−３−ヒドロキシプロピルアミンのアルコキシドを２−フルオロトルエンと０℃〜１４０℃の温度で反応させて、Ｎ−メチル−３−（２−メチルフェノキシ）−３−フェニルプロピルアミンを得；
（ｂ）Ｎ−メチル−３−（２−メチルフェノキシ）−３−フェニルプロピルアミンを分割して、（Ｒ）−Ｎ−メチル−３−（２−メチルフェノキシ）−３−フェニルプロピルアミン（トモキセチン）を得；
（ｃ）医薬的に許容し得る酸を用いて酸付加塩を場合により形成する；
を含む方法。
【請求項５】  トモキセチン及びその医薬的に許容し得る付加塩の製造方法であって、その方法は以下の工程：
（ａ）1，3−ジメチル−２−イミダゾリジノン中でＮ，Ｎ−ジメチル−３−フェニル−３−ヒドロキシプロピルアミンのアルコシドを２−フルオロトルエンと０℃〜１４０℃の温度で反応させて、Ｎ，Ｎ−ジメチル−３−（２−メチルフェノキシ）−３−フェニルプロピルアミンを得；
（ｂ）Ｎ，Ｎ−ジメチル−３−（２−メチルフェノキシ）−３−フェニルプロピルアミンをＮ−脱メチル化して、Ｎ−メチル−３−（２−メチルフェノキシ）−３−フェニルプロピルアミンを得；
（ｃ）Ｎ−メチル−３−（２−メチルフェノキシ）−３−フェニルプロピルアミンを分割して（Ｒ）−Ｎ−メチル−３−（２−メチルフェノキシ）−３−フェニルプロピルアミン（トモキセチン）を得；
（ｄ）医薬的に許容し得る酸を用いて酸付加塩を場合により形成する；
を含む方法。
【請求項６】  Ｎ−メチル−３−（２−メチルフェノキシ）−３−フェニルプロピルアミンの製造方法であって、（ａ）Ｎ−メチル−３−フェニル−３−ヒドロキシプロピルのアルコキシドを２−フルオロトルエンと1，3−ジメチル−２−イミダゾリジノン中で反応させる工程を含む方法。
【請求項７】  Ｎ−メチル−３−（２−メチルフェノキシ）−３−フェニルプロピルアミンの製造方法であって、以下の工程：
（ａ）Ｎ，Ｎ−ジメチル−３−フェニル−３−ヒドロキシプロピルのアルコキシドを２−フルオロトルエンと０℃〜１４０℃の温度で1，3−ジメチル−２−イミダゾリジノン中で反応させて、Ｎ，Ｎ−ジメチル−３−（２−メチルフェノキシ）−３−フェニルプロピルアミンを得；
（ｂ）Ｎ，Ｎ−ジメチル−３−（２−メチルフェノキシ）−３−フェニルプロピルアミンをＮ−脱メチル化する；
を含む方法。
【請求項８】  式：
【化３】
2002541235.tif 000003
（式中、Ａｒはフェニル又は２−チエニルであり、Ａｒ１は１−ナフチル、２−メトキシフェニル、２−チオメトキシフェニル、又は２−メチルフェニルであり、Ｇは水素又はメチルである）
の３−アリールオキシ−３−アリールプロピルアミン及び医薬的に許容し得るそ塩の製造方法であって、式：
【化４】
2002541235.tif 000004
（Ａｒ及びＧは上に定義したとおりである）
のＮ−メチル−３−ヒドロキシ−３−アリールプロピルアミンのアルコシド、又はそのＮ−保護誘導体を、２−フルオロトルエン、２−クロロトルエン、１−フルオロナフタレン、１−クロロナフタレン、２−フルオロアニソール、２−クロロアニソール、２−フルオロチオアニソールまたは２−クロロチオアニソールから選択される非活性化ハロ芳香属と０℃〜１４０℃の温度で反応させることを含み、1，3−ジメチル−２−イミダゾリジノン又はN-メチルピロリジノンを溶媒として用いることに特徴がある方法。
【請求項９】  トモキセチン及び医薬的に許容し得るその付加塩の製造方法であって、Ｎ−メチル−３−フェニル−３−ヒドロキシプロピルアミンのアルコキシド又はそのＮ−保護誘導体を、２−フルオロトルエンと０℃〜１４０℃の温度で反応させることを含み、1，3−ジメチル−２−イミダゾリジノンを溶媒として用いることに特徴がある方法。
【手続補正書】
【提出日】平成19年3月16日(2007.3.16)
【手続補正１】
【補正対象書類名】明細書
【補正対象項目名】請求項１３
【補正方法】変更
【補正の内容】
【請求項１３】  式（１ａ）、
（式中、
Ａが、式：
【化１０】
2002541278.tif 000001
（式中、
ｘは、０または１であり、
ｓ1は、５〜７００の整数であり；
ｓ2は、ｘが０であれば（ｐ＋ｑ＋ｔ−２）の合計であり、そしてｘが１であれば（ｐ＋ｑ＋ｔ）の合計であって、ここでｐ、ｑおよびｔは、上で定義したとおりであり、
（ｓ1＋ｓ2）の合計は、５〜７００であり、
そしてＲ1、Ｒ1′、Ｒ1″、Ｒ2、Ｒ2′、Ｒ2″、Ｒ3およびＲ4が、それぞれ互いに独立に、Ｃ1〜Ｃ4アルキルである）
のポリシロキサンセグメントであり、
Ｂが、ポリオキシアルキレン、ポリ（ビニルピロリドン）、ポリ（アクリル酸ヒドロキシエチル）、ポリ（メタクリル酸ヒドロキシエチル）、ポリアクリルアミド、ポリ（Ｎ，Ｎ−ジメチルアクリルアミド）、ポリアクリル酸、ポリメタクリル酸、ポリアシルアルキレンイミン、親水性テロマー、または上述のポリマー類の２種以上のコポリマーの混合物であり、
Ｌ1が、式：
−Ｘ1−Ｃ（Ｏ）−              （４ｃ）、または
−Ｘ1−Ｃ（Ｏ）−Ｘ2-          （４ｅ）  
の連結基であり、
Ｌ2が、式：
−Ｘ1−Ｃ（Ｏ）−ＮＨ−Ｒ10−ＮＨ−Ｃ（Ｏ）−Ｘ2−  （４ａ）
の連結基であり、そして
Ｌ3が、上記式（４ｃ）の連結基であり、
（上記式中のＸ1およびＸ2は、それぞれ互いに独立に、−Ｏ−、−Ｓ−または−ＮＲ0−であり、Ｒ0は水素またはＣ1〜Ｃ4アルキルであり、そしてＲ10は、直鎖状または分枝状のＣ1〜Ｃ18アルキレンであるか、あるいは非置換か、またはＣ1〜Ｃ4アルキル−もしくはＣ1〜Ｃ4アルコキシで置換されたＣ6〜Ｃ10アリーレン、Ｃ7〜Ｃ18アラルキレン、Ｃ6〜Ｃ10アリーレン−Ｃ1〜Ｃ2アルキレン−Ｃ6〜Ｃ10アリーレン、Ｃ3〜Ｃ8シクロアルキレン、Ｃ3〜Ｃ8シクロアルキレン−Ｃ1〜Ｃ6アルキレン、Ｃ3〜Ｃ8シクロアルキレン−Ｃ1〜Ｃ2アルキレン−Ｃ3〜Ｃ8シクロアルキレンもしくはＣ1〜Ｃ6アルキレン−Ｃ3〜Ｃ8シクロアルキレン−Ｃ1〜Ｃ6アルキレンである）、
Ｑが、式：
【化１１】
2002541278.tif 000002
（式中、（Ａｌｋ）は、直鎖状または分枝状のＣ1〜Ｃ12アルキレンであり、Ｘは、−Ｏ−または−ＮＨ−であり、Ｒ11は、炭素原子２〜２４個を有するオレフィン性不飽和の共重合可能な基であって、非置換か、またはさらにＣ1〜Ｃ4アルコキシ、ハロゲン、フェニルもしくはカルボキシにより置換されているものであり、そしてｗは、０または１の数である）
のＱ1基であるか、あるいはＱが、ポリオキシアルキレン、ポリ（ビニルピロリドン）、ポリ（アクリル酸ヒドロキシエチル）、ポリ（メタクリル酸ヒドロキシエチル）、ポリアクリルアミド、ポリ（Ｎ，Ｎ−ジメチルアクリルアミド）、ポリアクリル酸、ポリメタクリル酸、ポリアシルアルキレンイミン、親水性テロマー、または、それぞれの場合、１個以上のエチレン性不飽和結合を含み、そして重量平均分子量がたとえば１００以上である前記ポリマー類の２種以上のコポリマー性混合物であり、そしてｐ１が、１〜６の整数であり、ｑ１が１〜８の整数である）
の、請求項２記載の両親媒性ブロックコポリマー。
【手続補正書】
【提出日】平成18年12月22日(2006.12.22)
【手続補正１】
【補正対象書類名】明細書
【補正対象項目名】特許請求の範囲
【補正方法】変更
【補正の内容】
【特許請求の範囲】
【請求項１】  ポリマーコア；１以上のホスホネート化された置換基および１以上のスルホネート化された置換基；および所望により１以上のカチオン性または中性に帯電したアミド置換基を含むポリマー組成物を紙料に添加することを含む紙の製造方法。
【請求項２】  ポリマーコアが、アルキル単位およびビニル単位から選択される１以上のポリマー単位を含む、請求項１記載の方法。
【請求項３】  ホスホネート化された置換基が式−Ａ−Ｐ（＝Ｏ）（−ＯＤ1）（−ＯＤ2）を有し、ここで、Ｐはリンであり；Ｏは酸素であり；Ａは、炭素−リン連結、あるいは未置換のまたは置換された（Ｃ1〜Ｃ6）アルキレン（ここで、置換基は独立して、（Ｃ1〜Ｃ3）アルキルおよびハロゲンから選択される）、あるいはカルボニル（−ＣＯ−）、カルボニルアミノ、アルキレンカルボニルアミノ、カルボニルアミノアルキレン、またはアルキレンカルボニルアミノアルキレンから選択され；Ｄは水素プロトン、またはアルミニウム、カルシウム、鉄、リチウム、マグネシウム、カリウム、ナトリウム、チタンおよび亜鉛イオンから選択される塩部分である、請求項１または２記載の方法。
【請求項４】  スルホネート化された置換基が式−Ａ−Ｓ（＝Ｏ）2（−ＯＤ1）を有し、ここで、Ｓは硫黄であり；Ｏは酸素であり；Ａは、炭素−硫黄連結、あるいは未置換のまたは置換された（Ｃ1〜Ｃ6）アルキレン（ここで、置換基は独立して、（Ｃ1〜Ｃ3）アルキルおよびハロゲンから選択される）、あるいはカルボニル（−ＣＯ−）、カルボニルアミノ、アルキレンカルボニルアミノ、カルボニルアミノアルキレン、またはアルキレンカルボニルアミノアルキレンから選択され；Ｄは水素プロトン、またはアルミニウム、カルシウム、鉄、リチウム、マグネシウム、カリウム、ナトリウム、チタンおよび亜鉛イオンから選択される塩部分である、請求項１〜３のいずれか１項記載の方法。
【請求項５】  カチオン性または中性に帯電したアミド置換基が式−Ａ1−Ｃ（＝Ｏ）−Ｎ（Ｂ）Ｒ1Ｒ2を有し、ここで、Ｃは炭素であり；Ｏは酸素であり；Ｎは窒素であり；Ａ1は未置換のまたは置換された（Ｃ1〜Ｃ6）アルキレン（ここで置換基は独立して、（Ｃ1〜Ｃ3）アルキルおよびハロゲンから選択される）であり；Ｂは水素、ヒドロキシルまたはエーテルであり；Ｒ1およびＲ2は各々独立して、水素、ハロゲンまたは（Ｃ1〜Ｃ3）アルキルである、請求項１〜４のいずれか１項記載の方法。
【請求項６】  ホスホネート化された置換基が−ＰＯ3Ｈ2、−ＰＯ3（ＣＨ3）2、−ＰＯ3（Ｈ）（ＣＨ3）、−ＣＨ2ＰＯ3Ｈ2、−ＣＨ2ＰＯ3（ＣＨ3）2、−ＣＨ2ＰＯ3（Ｈ）（ＣＨ3）、−Ｃ（＝Ｏ）ＮＨＣＨ2ＰＯ3Ｈ2から成る群から選択され、スルホネート化された置換基が−Ｃ（＝Ｏ）ＮＨＣ（ＣＨ3）2ＣＨ2ＳＯ3Ｈ、−Ｃ（＝Ｏ）ＮＨＣＨ2ＳＯ3Ｈ、−ＣＨ2Ｃ（＝Ｏ）ＮＨＣ（ＣＨ3）2ＣＨ2ＳＯ3Ｈおよび−ＣＨ2Ｃ（＝Ｏ）Ｎ（ＣＨ3）Ｃ（ＣＨ3）2ＣＨ2ＳＯ3Ｈから成る群から選択され、アミド置換基が−Ｃ（＝Ｏ）ＮＨ2、−ＣＨ2Ｃ（＝Ｏ）ＮＨ2、−Ｃ（＝Ｏ）ＮＨＣＨ3および−Ｃ（＝Ｏ）Ｎ+（ＣＨ3）3から成る群から選択される、請求項１〜５のいずれか１項記載の方法。
【請求項７】  ホスホネート化された置換基が−ＰＯ3Ｈ2であり；スルホネート化された置換基が−Ｃ（＝Ｏ）ＮＨＣ（ＣＨ3）2ＣＨ2ＳＯ3Ｈであり、アミド置換基が−Ｃ（＝Ｏ）ＮＨ2である、請求項６記載の方法。
【請求項８】  ホスホネート化された置換基とスルホネート化された置換基との比が１０／９０〜１／９９である、請求項１〜７のいずれか１項記載の方法。
【請求項９】  アミド置換基とホスホネート化された置換基との比が１０／１以上である、請求項１〜８のいずれか１項記載の方法。
【請求項１０】  組成物の平均分子量が、１００，０００〜２０，０００，０００の範囲である、請求項１〜９のいずれか１項記載の方法。
【請求項１１】  １５重量％未満の架橋が存在する、請求項１〜１０のいずれか１項記載の方法。
【請求項１２】  架橋が１重量％未満である、請求項１〜１１のいずれか１項記載の方法。
【請求項１３】  紙料が１以上のフィラーをも含む、請求項１〜１２のいずれか１項記載の方法。
【請求項１４】  紙料にデンプンを添加することをさらに含む、請求項１〜１３のいずれか１項記載の方法。
【請求項１５】  デンプンが、エチル化されたもしくは酸化されたデンプンまたは馬鈴薯ベースのデンプンまたはコーンスターチである、請求項１４記載の方法。
【請求項１６】  デンプンの量が、紙１トンにつき５〜５０ポンドの範囲である、請求項１４または１５記載の方法。
【請求項１７】  ポリマー組成物の量が、紙１トンにつき１〜１０ポンドの範囲である、請求項１４〜１６のいずれか１項記載の方法。
【請求項１８】  ポリマーコア；１以上のホスホネート化された置換基および１以上のスルホネート化された置換基；および所望により１以上のカチオン性または中性に帯電したアミド置換基を含む組成物を含む、フィラーを含む紙組成物。
【請求項１９】  デンプンをも含む、請求項１８記載の紙組成物。
【請求項２０】  デンプンが、エチル化されたもしくは酸化されたデンプンまたは馬鈴薯ベースのデンプンまたはコーンスターチである、請求項１９記載の紙組成物。
【手続補正書】
【提出日】平成19年4月9日(2007.4.9)
【手続補正１】
【補正対象書類名】明細書
【補正対象項目名】特許請求の範囲
【補正方法】変更
【補正の内容】
【特許請求の範囲】
【請求項１】  虚血心臓組織において血管新生を促進するための医薬を製造するための、三次元的組織の使用であって、該虚血心臓組織を、間質細胞と間質細胞によって天然に分泌される結合組織タンパク質とを含んでなる三次元的間質組織と接触させ、該細胞は生体適合性のある非生存材料からなる骨組みに接着して実質的に該骨組みを包み込んでおり、該骨組みが該間質細胞によって架橋されている間質腔（interstital space）を有する三次元的構造を形成している、上記使用。
【請求項２】  間質細胞が繊維芽細胞である、請求項１記載の使用。
【請求項３】  間質細胞が平滑筋細胞である、請求項１記載の使用。
【請求項４】  平滑筋細胞が血管平滑筋細胞である、請求項３記載の使用。
【請求項５】  血管平滑筋細胞が大動脈平滑筋細胞である、請求項４記載の使用。
【請求項６】  間質細胞が心筋細胞である、請求項１記載の使用。
【請求項７】  間質細胞が繊維芽細胞と、平滑筋細胞、心筋細胞、内皮細胞、周皮細胞、マクロファージ、単球、白血球、プラズマ細胞、肥満細胞、または脂肪細胞との組み合わせである、請求項１記載の使用。
【請求項８】  骨組みが生分解性材料からなる、請求項１記載の使用。
【請求項９】  生分解性材料が、ポリグリコール酸、腸線縫合糸、セルロース、ゼラチン、コラーゲンまたはデキストランである、請求項８記載の使用。
【請求項１０】  骨組みが非生分解性材料からなる、請求項１記載の使用。
【請求項１１】  非生分解性材料が、ポリアミド、ポリエステル、ポリスチレン、ポリプロピレン、ポリアクリレート、ポリビニル、ポリカーボネート、ポリテトラフルオロエチレン、ニトロセルロース化合物、または綿である、請求項１０記載の使用。
【請求項１２】  骨組みが網状である請求項１〜１１のいずれか1項に記載の使用。
【請求項１３】  間質組織が新鮮な培養物から直接得られる、請求項１記載の使用。
【請求項１４】  間質組織が低温保存されていたものである、請求項１記載の使用。
【請求項１５】  間質組織が天然の細胞接着によって虚血心臓組織に接着する、請求項１記載の使用。
【請求項１６】  間質組織を、生分解性もしくは非生分解性の縫合糸、生物学的接着剤、合成接着剤、レーザー色素またはヒドロゲルを用いて虚血心臓組織に接着させる、請求項１記載の使用。
【請求項１７】  虚血組織が心外膜のものである、請求項1記載の使用。
【請求項１８】  虚血組織が心筋層のものである、請求項1記載の使用。
【請求項１９】  虚血組織が心内膜のものである、請求項1記載の使用。
【請求項２０】  虚血組織において血管形成を促進するための医薬の製造における三次元的組織の使用であって、該虚血組織を、間質細胞と間質細胞によって天然に分泌される結合組織タンパク質とを含んでなる三次元的間質組織に接触させ、該細胞は生体適合性のある非生存材料からなる骨組みに接着して実質的に該骨組みを包み込んでおり、該骨組みが該間質細胞によって架橋されている間質腔を有する三次元的構造を形成している、上記使用。
【請求項２１】  虚血組織が骨格筋、平滑筋、結合組織または皮膚のうちの少なくとも１つである、請求項２０記載の使用。
【請求項２２】  間質細胞が繊維芽細胞である、請求項２０記載の使用。
【請求項２３】  間質細胞が平滑筋細胞である、請求項２０記載の使用。
【請求項２４】  平滑筋細胞が血管平滑筋細胞である、請求項２３記載の使用。
【請求項２５】  血管平滑筋細胞が大動脈平滑筋細胞である、請求項２４記載の使用。
【請求項２６】  間質細胞が心筋細胞である、請求項２０記載の使用。
【請求項２７】  間質細胞が、繊維芽細胞と、平滑筋細胞、心筋細胞、内皮細胞、周皮細胞、マクロファージ、単球、白血球、プラズマ細胞、肥満細胞、または脂肪細胞との組み合わせである、請求項２０記載の使用。
【請求項２８】  間質組織を、生分解性もしくは非生分解性の縫合糸、生物学的接着剤、合成接着剤、レーザー色素またはヒドロゲルを用いて虚血組織に接着させることをさらに含む、請求項２０記載の使用。
【請求項２９】  間質細胞が間充織幹細胞である、請求項１記載の使用。
【請求項３０】  間質細胞が間充織幹細胞である、請求項２０又は２１記載の使用。
【手続補正書】
【提出日】平成18年11月28日(2006.11.28)
【手続補正１】
【補正対象書類名】明細書
【補正対象項目名】発明の名称
【補正方法】変更
【補正の内容】
【発明の名称】失禁治療用医薬組成物
【手続補正２】
【補正対象書類名】明細書
【補正対象項目名】特許請求の範囲
【補正方法】変更
【補正の内容】
【特許請求の範囲】
【請求項１】  尿失禁の症状を軽減するために十分な量のＧＡＢＡ類似物を含む、失禁を治療するための医薬組成物。
【請求項２】  ＧＡＢＡ類似物が、式Ｉ
【化１】
2002541198.tif 000001
（式中、Ｒ1は水素または低級アルキルであり、そしてｎは４〜６の整数である）の化合物またはその医薬上許容しうる塩である請求項１に記載の医薬組成物。
【請求項３】  式Ｉがガバペンチンを含む請求項２に記載の医薬組成物。
【請求項４】  １０mg〜４００mgの式Ｉの化合物を含む請求項２に記載の医薬組成物。
【請求項５】  １０mg〜４００mgのガバペンチンを含む請求項３に記載の医薬組成物。
【請求項６】  ＧＡＢＡ類似物が、式II：
【化２】
2002541198.tif 000002
（式中、Ｒ1が１〜６個の炭素原子の直鎖または分枝アルキル、フェニルまたは３〜６個の炭素原子のシクロアルキルであり；Ｒ2が、水素またはメチルであり；そしてＲ3が、水素、メチルまたはカルボキシルである）の化合物またはその医薬上許容しうる塩である請求項１に記載の医薬組成物。
【請求項７】  式IIがプレガバリンを含む請求項６に記載の医薬組成物。
【請求項８】  ０.１５mg〜６５mgの式IIの化合物を含む請求項６に記載の医薬組成物。
【請求項９】  ０.１５mg〜６５mgのプレガバリンを含む請求項７に記載の医薬組成物。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  （ａ）未エステル化グリコシドを依然１〜５０重量％含有するヒドロキシカルボン酸アルキルおよび／またはアルケニルオリゴグリコシドエステル０．１〜１５重量％、および
（ｂ）ＵＶ保護剤または顔料０．１〜２５重量％
を含有する化粧品製剤および／または医薬製剤。
【請求項２】  成分（ａ）として、式（Ｉ）：
【化１】
2002541170.tif 000001
［式中、Ｘは水素またはＣＨ２ＣＯＯＲ３基であり、Ｙは水素またはヒドロキシル基であり、Ｒ１、Ｒ２およびＲ３は各々独立して、水素、アルカリ金属もしくはアルカリ土類金属、アンモニウム、アルキルアンモニウム、ヒドロキシアルキルアンモニウム、グルカンモニウム、または式（II）：
Ｒ４Ｏ−[Ｇ]ｐ          （II）
（式中、Ｒ４は、炭素原子数４〜２２のアルキルおよび／またはアルケニル基であり、Ｇは炭素原子数５または６の糖単位であり、ｐは１〜１０の値である。）
で示されるアルキルおよび／またはアルケニルオリゴグリコシドの残基であり、ただし、ＸがＣＨ２ＣＯＯＲ３基である場合はＹは水素であり、置換基Ｒ１、Ｒ２およびＲ３の少なくとも１個はグリコシド単位である。］
で示されるヒドロキシカルボン酸アルキルおよび／またはアルケニルオリゴグリコシドエステルを含有する請求項１に記載の製剤。
【請求項３】  リンゴ酸、酒石酸および／またはクエン酸とアルキルおよび／またはアルケニルオリゴグリコシドとのエステルを含有する請求項１または２に記載の製剤。
【請求項４】  成分（ｂ）として、室温で液体もしくは結晶である水溶性もしくは油溶性のＵＶフィルター、またはそれらの混合物を含有する請求項１〜３のいずれかに記載の製剤。
【請求項５】  成分（ｂ）として、無機ＵＶ保護顔料を含有する請求項１〜４のいずれかに記載の製剤。
【請求項６】  日焼け止め組成物を製造するためのヒドロキシカルボン酸アルキルおよび／またはアルケニルオリゴグリコシドエステルの使用。